【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
第１と第２の極と、シャントプラグと、フィールド機器に接続および取り外し可能な第１の端部に第１の端末ワイヤ対と、二極プラグで終端する第２の端部に第２の端末ワイヤ対を有し、第２のペアの第１のワイヤが二極プラグの第１および第２極の一方に接続され、第２のワイヤが二極プラグの第１と第２の極の他方に接続された２線式通信ラインとを備えた二極プラグを使ってテスト状態のフィールド機器に供給する電力を切り替える方法であって、
携帯メンテナンスツールとフィールド機器の間に２線式通信ラインを接続して２線式通信ラインを携帯メンテナンスツールとを電気的に接続することと、
第１極と第２曲を有するシャントプラグを携帯メンテナンスツールと二極プラグに挿入して、シャントプラグの第２極を携帯メンテナンスツールの電力ジャックに挿入して、シャントプラグが二極プラグの第２極と、シャントプラグの第２極を接続して携帯メンテナンスツールの電圧を２線式通信ラインにかけてフィールド機器に電量を供給することを含む方法。
【請求項２】
シャントプラグが携帯メンテナンスツールに挿入される前に前記２線式通信ラインの電圧を測り、シャントプラグが携帯メンテナンスツールと二極プラグ内に挿入された後に携帯メンテナンスツールとフィールド機器の間の２線式通信ラインに電圧を印加することを含む請求項１に記載の方法。
【請求項３】
シャントプラグの第１および第２極を、シャントプラグの第１および第２極を電気的に接続するシャントプラグの回路を介して二極プラグの第２極と電気的に接続することを含む請求項１又は請求項２に記載の方法。
【請求項４】
シャントプラグを挿入することが、シャントプラグの第１極を二極プラグの１ジャックレセプタクルと携帯メンテナンスツールの所定のジャックレセプタクルの一方に電気的に接続し、シャントプラグの第２極を１ジャックレセプタクルと携帯メンテナンスツールの所定のジャックレセプタクルの他方に電気的に接続することを含む請求項１から請求項３の何れか１項に記載の方法。
【請求項５】
携帯メンテナンスツールを操作して第１のジャックと第２のジャックを通して時間の関数である信号電圧を提供し、信号電圧より電圧値が高い第３のジャックに定電圧を供給することをさらに含む請求項１から請求項４の何れか１項に記載の方法。
【請求項６】
フィールド機器への電力供給がないという携帯メンテナンスツールからのインジケータを受け取り、ユーザに対して、シャントプラグを携帯メンテナンスツールに、二極プラグを携帯メンテナンスツールと二極プラグに挿入するように促すことをさらに含む、請求項１から請求項５の何れか１項に記載の方法。
【請求項７】
携帯メンテナンスツールに電力が供給されているときには携帯メンテナンスツールを操作して電圧を携帯メンテナンスツールの第３のジャックに印加することを含む請求項１から請求項６の何れか１項に記載の方法。
【請求項８】
シャントプラグを２線式通信ラインからの電圧がオフになったときに２線式通信電力供給ラインからシャントプラグを自動的に遮断することを含む請求項１から請求項７の何れか１項に記載の方法。
【請求項９】
シャントプラグを二極プラグと携帯メンテナンス装置から取り外すことによって、手動のリセットを実行し、シャントプラグが２線式通信電力供給ラインから遮断した後に、二極プラグと携帯メンテナンス装置にシャントプラグを再び挿入することさらに含む請求項８に記載の方法。
【請求項１０】
さらに、シャントプラグを挿入した後に、フィールド機器に電力を供給するためのＤＣ電圧と、２線式通信ラインを通してフィールド機器と通信するための信号電圧を供給することを含む請求項１から請求項９の何れか１項に記載の方法。
【請求項１１】
電圧を通信ラインに選択的に結合するための電気コネクタ組立体であって、
第１極、第２極、および１ジャックレセプタクルを含む二極プラグと、
２線式通信ラインの第１の端部の第１の端末ワイヤ対と２線式通信ラインの第２の端部の第２の端末ワイヤ対を含む２線式通信ラインと、
第１および第２極を含むシャントプラグと、第１および第２極を互いに電気的に接続する回路を含むシャントプラグとを備え、
２線式通信ラインの第１の端部の第１の端子対がフィールド機器の一対の端子に接続可能であると共に切り離し可能であり、第２の端部の第２の端子対は、二極プラグで終端し、
第２の端末側終端の第１のワイヤが、二極プラグの第１極および第２極の一方に接続され、第２の端末側終端の第２のワイヤが二極プラグの第１極と第２極の他方と接続され、
二極プラグは、携帯メンテナンスツールの３ジャックレセプタクルの第１のジャックと第２のジャックに挿入されるように構成されており、
シャントプラグが二極プラグ内に挿入されると、二極プラグの１ジャックレセプタクルが二極プラグの第２極と、シャントプラグの第２極と電気的に結合される電気コネクタ組立体。
【請求項１２】
シャントプラグが、二極プラグに対して唯一の方位で携帯メンテナンス装置の二極プラグと３ジャックレセプタクルの第３のジャックに挿入される請求項１１に記載の電気コネクタ組立体。
【請求項１３】
シャントプラグは、さらに、逆流電流をブロックする回路の一部としてダイオードを含む請求項１１又は請求項１２に記載の電気コネクタ組立体。
【請求項１４】
２線式通信ラインが、本質的安全ガイドライン内で、少なくとも２台のフィールド機器に供給できるだけの十分な電力を運ぶように構成された、請求項１１から請求項１３の何れか１項に記載の電気コネクタ組立体。
【請求項１５】
シャントプラグと二極プラグは、携帯メンテナンスの３ジャックレセプタクルと整列するように三角形に方向付けられた請求項１２から請求項１４の何れか１項に記載の電気コネクタ組立体。
【請求項１６】
シャントプラグと二極プラグは、携帯メンテナンス装置の線形３ジャックレセプタクルと整列するように線形に方向付けられた請求項１２から請求項１５の何れか１項に記載の電気コネクタ組立体。
【請求項１７】
シャントプラグは、さらに本体を含み、本体がリブを含む請求項１１から請求項１６の何れか１項に記載の電気コネクタ組立体。
【請求項１８】
シャントプラグはさらに本体を含み、本体は凹部領域を含む請求項１１から請求項１７の何れか１項に記載の電気コネクタ組立体。
【請求項１９】
プロセス制御ネットワークのフィールド機器と通信を行うための可搬装置組立体であって、
３ジャックレセプタクルと、
第１極、第２極、および１ジャックレセプタクルを含む二極プラグと、
第１極、第２極、および第１極と第２極を互いに電気的に接続する回路を含むシャントプラグと、
２線式通信ラインの第１の端部の第１の端末ワイヤ対と２線式通信ラインの第２の端部の第２の端末ワイヤ対を含み、携帯メンテナンスツールをフィールド機器に電気的に通信可能に連結する２線式通信ラインとを含む携帯メンテナンスツールを備え、
２線式通信ラインの第１の端部の第１の端末ワイヤ対がフィールド機器の一対の端部に接続可能であるとともにそれから取り外し可能であり、第２の端部の第２の端末ワイヤ対が二極プラグで終端となり、第２の端末ワイヤ対の第１のワイヤが、二極プラグの第１極および第２極の一方に接続され、第２の端末ワイヤ対の第２のワイヤが二極プラグの第１極と第２極の他方と接続され、
二極プラグは、携帯メンテナンスツールの３ジャックレセプタクルの第１のジャックと第２のジャックに挿入されるように構成されており、
シャントプラグの第１極が二極プラグの１ジャックレセプタクルに挿入され、シャントプラグの第２極が携帯メンテナンス装置の３ジャックレセプタクルの第３のジャックに挿入するように構成され、シャントプラグと携帯メンテナンスツールに挿入され、結合されると、シャントプラグが、シャントプラグの第２極と二極プラグの第２極を電気的に結合される可搬装置組立体。
【請求項２０】
携帯メンテナンス装置をフィールド機器に接続するための二極プラグであって、
プラグ本体と、
第１極および第２極と、
プラグ本体で終端となる端末側終端を有する２線式通信ラインとを含み、２線式通信ラインの第１のワイヤの端末側終端は、第１極および第２極の一方に接続され、２線式接続ラインの第２のワイヤの端末側終端は、二極プラグの第１極および第２極の他方に接続され、
１ジャックレセプタクルは、更なるプラグの極を受容する二極プラグの第１極と第２極の一方に電気的に接続される二極プラグ。